(57)【特許請求の範囲】
【請求項１】
映像信号に応じて光を変調する複数の液晶パネルを含む冷却対象物と、上記冷却対象物を冷却する冷却ファンと、上記冷却対象物と上記冷却ファンの間に配置された、少なくとも１つの風導板を含む風制御手段とを備え、
上記投写型表示装置がさらに上記複数の液晶パネルからの光を合成するプリズムを有し、上記冷却ファンが上記液晶パネル及び上記プリズムの上部及び下部の少なくとも一方に設置され、
上記風導板は、
上記プリズムに対応する位置に設けられ、上記冷却ファンの回転円の接線の方向に対し直交する第１の部分と、
上記液晶パネルに対応する位置に設けられ、上記液晶パネルの面に略平行に延びた第２の部分とを有し、
上記第２の部分が、上記液晶パネルの入光側の下部に設けられ、かつ上記第２の部分の上記液晶パネル側の出口が風を送るべき範囲に応じた大きさに絞られることにより、風が上記液晶パネルの面に沿って流れるようにした
ことを特徴とする投写型表示装置。
【請求項２】
上記風導板の、上記液晶パネル側の端が、上記液晶パネル面に向けて傾斜し又は湾曲していることを特徴とする請求項１に記載の投写型表示装置。
【発明の詳細な説明】
【０００１】
【発明の属する技術分野】
本発明は、液晶パネルに形成された映像を、投写レンズにより拡大投写する投写型表示装置に関する。
【０００２】
【従来の技術】
図２９は液晶パネルを用いた従来の投写型表示装置の基本構成を示す立面図である。ここで、TN型液晶パネルを用いた例を説明するが、以下の説明は大部分他の方式の液晶パネル、例えば分散型液晶パネルが用いられている場合にも当てはまる。図において、１は例えばハロゲンランプやメタルハライドランプなどで構成された光源、２は光源１から出射された光の内、特定偏光成分のみを選択透過する第１の偏光選択素子、３は第１の偏光選択素子２により選択された特定の偏光成分の光を、映像信号に応じて変調する液晶パネル、４は第１の偏光選択素子２と同様に特定の偏光成分の光のみを選択透過する第２の偏光選択素子である。但し、分散型液晶パネルの場合、第１及び第２の偏光選択素子２及び４は不要である。５は第２の偏光選択素子４を透過した映像光を拡大投写する投写レンズ、６は第１及び第２の偏光選択素子２及び４、及び液晶パネル３を冷却する為の冷却ファンである。
【０００３】
このような従来の投写型表示装置においては、光源１から出射した照明光は、第１の偏光選択素子２に入射する。この照明光は通常さまざまな偏光成分を含んでいるが、第１の偏光選択素子２により選択透過されて特定の偏光成分の照明光のみが液晶パネル３に入射する。液晶パネル３に入射した照明光は映像信号に従って変調され、さらに第２の偏光選択素子４により選択透過され、投写レンズ５により拡大投写される。
【０００４】
第１及び第２の偏光選択素子２及び４、及び液晶パネル３は上記のように照明光を照射され高温になるが、それぞれの機能を維持する為に、冷却ファン６により風を吹き付けて冷却される。
【０００５】
【発明が解決しようとする課題】
従来の投写型表示装置は、以上のように構成されているので、下記の理由から映像の明るさが不均一であったり、色のむらが生じたりする。この問題は、明るい映像より、暗い映像においてより深刻である。
【０００６】
まず、入射した光を選択的に透過することにより映像信号により変調を行なう液晶パネル３に関し、入力される映像信号が一定であっても、温度変化により液晶パネル３の透過率が変化してしまうという特性がある。液晶パネル３は、透過率が１００%ではないので、透過しない光は、殆どが熱に変わる。液晶パネル３は耐熱性が低く、変調特性を失うか、温度変化により透過率特性が変わるという問題がある。また、第１及び第２の偏光選択素子２及び４は耐熱性が低く、熱により偏光特性を失うか、透過率が著しく低下するいう問題がある。
【０００７】
その為に冷却ファン６により冷却する必要があるが、従来の投写型表示装置では、第１及び第２の偏光選択素子２及び４、及び液晶パネル３の上部または下部に冷却ファン８を備えるだけある。そのため、冷却ファンからの風のうちには他に漏れる風も少なくなく、冷却ファン６の送風能力を有効に利用できなかった。よりよく冷やす為には、冷却ファン６の回転速度を上げたり、ファンを大型にするしかなく、投写型表示装置の消費電力が多くなったり、サイズが大きくなったりするという問題があった。
【０００８】
また、液晶パネル面内の異なる部分において、受ける光の強さの差や放熱性の差のために温度差が生じ、これにより映像の明るさや色にむらが生じることがあるが、よりよく冷やしたい個所を選別して冷却することもできなかった。さらに、平板形状である第１及び第２の偏光選択素子２及び４、及び液晶パネル３はその面内において、中央部は周辺部に比べ、光源から受ける光がより強く、また放熱性が悪い為、温度差が生じる。このため液晶パネル３の面内において、光の透過率が異なってしまう。また、通常液晶パネル３は、二枚の板ガラスの間に液晶を封入しており、面内の温度差によりこの板ガラスに歪みが生じ、液晶層の厚みが部分的に異なってしまう。液晶パネル３は液晶層の厚みの変化により、照明光の変調度合いが本来の映像信号とは異なってしまう。この照明光が第２の偏光選択素子４で選択透過されると、本来の映像信号と異なる映像光となってしまう。
【０００９】
さらに、冷却により液晶パネルの全面にわたり温度を均一にしても、液晶パネルには、その各部分間で表示特性に差異があり、映像の色や明るさのむらが生じることがあった。
【００１０】
また、光の三原色である赤・緑・青専用の３枚の液晶パネル３を使用する三板式の場合は、３枚の液晶パネル間に表示特性の差があったり、温度差が生じたりして、これらによる明るさのむらが、各液晶パネル内での明るさのむらに重畳されて、明るさのむらが一層ひどくなったり、色バランスが崩れたりする。
【００１１】
この発明は上記のような問題点を解消するためになされたもので、冷却ファンの高速回転化や大型化に伴う、投写型表示装置の大消費電力化や大型化を避け、冷却ファンから送風される風を制御することで、偏光選択素子や液晶パネルの温度のばらつきに起因する、映像の明るさや色のむらなどが少ない投写型表示装置を得ることを目的とする。
【００１２】
【課題を解決するための手段】
本発明の投写型表示装置は、映像信号に応じて光を変調する複数の液晶パネルを含む冷却対象物と、上記冷却対象物を冷却する冷却ファンと、上記冷却対象物と上記冷却ファンの間に配置された、少なくとも１つの風導板を含む風制御手段とを備え、
上記投写型表示装置がさらに上記複数の液晶パネルからの光を合成するプリズムを有し、上記冷却ファンが上記液晶パネル及び上記プリズムの上部及び下部の少なくとも一方に設置され、
上記風導板は、
上記プリズムに対応する位置に設けられ、上記冷却ファンの回転円の接線の方向に対し直交する第１の部分と、
上記液晶パネルに対応する位置に設けられ、上記液晶パネルの面に略平行に延びた第２の部分とを有し、
上記第２の部分が、上記液晶パネルの入光側の下部に設けられ、かつ上記第２の部分の上記液晶パネル側の出口が風を送るべき範囲に応じた大きさに絞られることにより、風が上記液晶パネルの面に沿って流れるようにしたものである。
【００２４】
上記風導板の、上記液晶パネル側の端を、上記液晶パネル面に向けて傾斜させ又は湾曲させても良い。
【００２５】
【発明の実施の形態】
以下、本発明をその実施の形態を示す図面を参照して説明する。
実施の形態１.
最初に図１及び図２を参照して実施の形態１を説明する。図１は、本発明の実施の形態１による投写型表示装置の基本構成を示す概略立面図である。図２は、図１の風制御部材７Aの斜視図である。
【００２６】
これらの図において、１乃至６は従来の例と同じであるのでその説明を省略する。風制御部材７Aは冷却ファン６から第１及び第２の偏光選択素子２及び４、及び液晶パネル３に吹き付けられる冷却風を制御するものである。
【００２７】
本実施の形態の風制御部材７Aは例えば、図２のように、外形が直方体状であり、且つ第１及び第２の偏光選択素子２及び４、及び液晶パネル３と、冷却ファン６をつなぐ通風孔２１を備えたものである。この通風孔２１は、断面が円形であり、その中心線２１zは冷却ファン６の回転軸線６zに平行である。また、この通風孔２１は、第１及び第２の偏光選択素子２及び４、及び液晶パネル３側の出口２１bが、冷却風を送るべき範囲に応じた大きさに絞られ、冷却ファン６側の入口２１aが冷却ファン６からの送風をすべて受け入れるように大きくしてある。このため、他に漏れる冷却風はほとんど無く、かつ冷却が必要な第１及び第２の偏光選択素子２及び４、及び液晶パネル３に効率よく送風できる。そのため、第１及び第２の偏光選択素子２及び４、及び液晶パネル３への冷却風量が増え、冷却ファン６の高速回転化や大型化に伴う、投写型表示装置の消費電力の増加やサイズの増大を引き起こすことなく、有効に冷却できる。
【００２８】
このように、冷却ファン６から送風される風を制御することで、ファンからの風を有効に冷却対象である、偏光選択素子２、４及び液晶パネル３に向けることができ、これらを効果的に冷却することにより、温度ばらつきに起因して生じる、映像の部分的な明るさや色のむらなどが少ない投写型表示装置を得ることができる。
実施の形態２.
次に図３を参照して実施の形態２を説明する。図３は、本実施の形態で用いられる風制御部材７Bを示す立面図である。
【００２９】
この実施の形態の全体的構成は図１と同じである。この実施の形態では、図１に示す風制御部材７Aの代わりに、図３に示す風制御部材７Bを用いる。図３の風制御部材７Bは風制御部材７Aと類似形状をしているが、通風孔２２の入口２２aと出口２２bの径が同じで、通風孔の中心軸線２３が冷却ファン６の回転軸線６zに対して傾いている点が異なる。
【００３０】
実施の形態１では、通風孔２１の中心軸線が傾かず、冷却ファン６の回転軸線６zに平行の方向即ち鉛直方向にある為、冷却風は冷却ファン６から鉛直方向に送風される。一方、実施の形態２の通風孔２２の中心軸線２３は傾いているので、冷却風を任意の斜めの方向に送風できる。このようにして冷却風の風向を制御する事ができる。
【００３１】
このように、冷却ファン６から送風される風の向きを制御することで、偏光選択素子や液晶パネルの温度ばらつきに起因する、映像の部分的な明るさや色のむらなどが少ない投写型表示装置を得ることができる。
実施の形態３.
次に図４及び図５を参照して実施の形態３を説明する。図４は、本実施の形態で用いられる風制御部材７Cの斜視図、図５は、図４の風制御部材７Cを、液晶パネル３及び偏光選択素子２及び４、及び冷却ファン６と共に示す概略立面図である。
【００３２】
この実施の形態の風制御部材７Cは、２つの通風孔２４及び２５を有する。通風孔２４は液晶パネル３の入光側の下部に位置し、冷却ファン６からの風を液晶パネル３の入光側に導く。通風孔２５は、液晶パネル３の出光側の下部に位置し、冷却ファン６からの風を液晶パネル３の出光側に導く。
【００３３】
通風孔２４及び２５は断面が矩形である。通風孔２４及び２５は幅(光源からの照明光の進行方向に直行する方向の寸法）wa, wbが互いに等しい。一方、通風孔２４の奥行き（照明光の進行方向の寸法）daが通風孔２５の奥行きdbよりも大きく、従って、通風孔２４断面積の方が、通風孔２５の断面積よりも大きく、冷却ファン６からの風のうち、通風孔２４を通って液晶パネル３の入光側に導かれる風の量の方が、通風孔２５を通って液晶パネル３の出光側に導かれる風の量よりも多い。従って、液晶パネル３の入光側の方がより強力に冷却される。このように、実施の形態３の風制御部材は、液晶パネルの入光側と出光側とで個別に風の制御をする、言い換えると風の分配の仕方を制御するものである。
【００３４】
液晶パネルは一般に光源からの光を受ける入光側の方がより多く加熱され、温度が高くなり勝ちである。そこで、入光側をより強力に冷却することで、入光側と出光側の温度差を小さくできる。
【００３５】
なお、何らかの理由で、入光側よりも出光側をより強力に冷却する必要がある場合には、図４, 図５とは逆に出光側に設けられた通風孔の断面積をより大きくすれば良い。
【００３６】
このように、液晶パネルの入光側と出光側において、冷却ファン６から送風される風を個別に制御することで、入光側と出光側とで発熱量が異なる場合にも、また表示特性が一様でない場合にも、液晶表示パネルをより効率的に冷却し、液晶パネルの動作を安定させることができる。
実施の形態４.
次に図６及び図７を参照して実施の形態４を説明する。図６は、本実施の形態で用いられる風制御部材７Dの斜視図、図７は、図６の風制御部材７Dを、液晶パネル３と共に示す平面図である。
【００３７】
この実施の形態の風制御部材７Dは、３つの通風孔２６, ２７, ２８を有する。通風孔２６は液晶パネル３の中央部(幅方向の中央部）に位置し、冷却ファン６からの風を液晶パネル３の中央部に導く。通風孔２７, ２８は、液晶パネル３の両側部の下部に位置し、冷却ファン６からの風を液晶パネル３の両側部に導く。
【００３８】
通風孔２６, ２７, ２８は断面が矩形である。通風孔２６の奥行きdcが、通風孔２７, ２８の奥行きdd, deよりも大きく、従って、単位幅方向寸法当たりの風の量は、通風孔２６を通る風の方が、通風孔２７, ２８を通る風よりも多い。従って、液晶パネル３の中央部の方がより強力に冷却される。このように、実施の形態４の風制御部材７Dは、液晶パネル３の面内で、ところにより冷却の強さを変える制御するものである。
【００３９】
液晶パネルは一般に、光源からの光の強さが中央部の方が強く、また周辺部の方が放熱性が良好であるため、中央部の温度が高くなり勝ちである。そこで、中央部をより強力に冷却することで、中央部と周辺部又は側部の温度差を小さくできる。
【００４０】
なお、何らかの理由で、中央部よりも側部をより強力に冷却する必要がある場合には、図６, 図７とは逆に側部に設けられた通風孔の奥行きをより大きくすれば良い。
【００４１】
このように、液晶パネルの中央部と側部において、冷却ファン６から送風される風を個別に制御する、言い換えると風の分配の仕方を制御することで、中央部と側部とで発熱量が異なる場合にもまた、表示特性が一様でない場合にも、温度差を小さくし、液晶表示パネルをより効率的に冷却し、液晶パネルの動作を安定させることができる。
実施の形態５.
次に図８乃至図１１を参照して実施の形態５を説明する。図８は、本実施の形態の投写型表示装置の全体的構成を示す概略平面図である。図９は、図８のS９-S９線に沿う概略断面図である。図１０は、この実施の形態で用いられる風制御部材７Eの斜視図である。図１１は、図１０の風制御部材７Eを液晶パネル３g, ３r, ３bと共に示す平面図である。
【００４２】
この実施の形態の投写型表示装置は、光の三原色の赤・緑・青にそれぞれ対応した３枚の液晶パネル３g, ３r, ３bを有するものである。図８及び図９において、１、５、６は図１に示すものと同じであるので、説明を省略する。９は光源１から出射した照明光を、赤・緑・青の３色に分離伝達する照明光学装置であり、波長選択反射特性のあるミラー９a, ９b及びミラー９c, ９d, ９eを有する。
【００４３】
２r, ２g, ２b; ３r, ３g, ３b; ４r, ４g, ４bは、図１の第１の偏光選択素子２、液晶パネル３、第２の偏光選択素子４にそれぞれ対応するもので、三原色の赤・緑・青それぞれに対応して３つ設けられている。１０は赤・緑・青の３色の光を合成するプリズムである。
【００４４】
図８に最もよく示されているように、光源１から出射した照明光は、照明光学装置９内で赤・緑・青の３色に分離され伝達される。その後、赤・緑・青の各々の光は、次のような処理を受ける。これは、従来例でその一例を示した、液晶パネル３が１枚の場合と同じであり、赤色光について説明する。赤色光に分離された後、第１の偏光選択素子２rに入射する。この照明光は通常さまざまな偏光成分を含んでおり、第１の偏光選択素子２rにより選択透過され、特定偏光成分の照明光のみが液晶パネル３rに入射する。液晶パネル３rに入射した照明光は映像信号に従って変調され、第２の偏光選択素子４rにより選択透過される。緑と青についても同様の処理が施される。第２の偏光選択素子４r, ４g, ４bからの赤・緑・青の映像光はプリズム１０により重量され、投写レンズ５により拡大投写される。
【００４５】
図９において、冷却ファン６は赤・緑・青各々の第１及び第２の偏光選択素子２r、２g、２b及び４r、４g、４b、及び液晶パネル３r、３g、３bのすべてを冷却する為に、通常その上部及び/又は下部に設置される。図示の例では下部に設置されている。
【００４６】
この実施の形態の風制御部材７Eは、３つの通風孔２９, ３０, ３１を有する。通風孔２９は緑用の液晶パネル３gの下部に位置し、冷却ファン６からの風を緑用の液晶パネル３gに導く。通風孔３０は赤用の液晶パネル３rの下部に位置し、冷却ファン６からの風を赤用の液晶パネル３rに導く。通風孔３１は青用の液晶パネル３bの下部に位置し、冷却ファン６からの風を青用の液晶パネル３bに導く。
【００４７】
通風孔２９, ３０, ３１は断面が矩形である。通風孔２９の奥行きdhが、通風孔３０, ３１の奥行きdi, djよりも大きく、単位幅方向寸法当たりの風の量は、通風孔２９を通る風の方が、通風孔３０, ３１を通る風よりも多い。従って、緑用の液晶パネル３gの方がより強力に冷却される。なお、この実施の形態では、通風孔２９, ３０, ３１の幅wh, wi, wjが互いに等しく、従って、通風孔２９の断面積が通風孔３０, ３１の断面積よりも大きく、通風孔２９を通る風の総量も通風孔３０, ３１の各々を通る風の総量よりも多い。従って、緑用の液晶パネル３gが受ける風の総量が赤、青用の液晶パネル３r, ３bの各々が受ける風の総量よりも多く、全体としても緑用の液晶パネル３gがより強力に冷却される。
【００４８】
このように実施の形態の風制御部材は、液晶パネル３を複数枚使用する場合に、複数の液晶パネルに対する送風を個別に制御する、言い換えると風の分配の仕方を制御するものである。
【００４９】
上記の例は、緑用の液晶パネル３gをより強力に冷却したい場合の構成例であるが、他の色(映像）の光のための液晶パネルをより強力に冷却したい場合には、その色の液晶パネルの下部に位置する通風孔の奥行き乃至は断面積を大きくすれば良い。
【００５０】
このように、複数の液晶パネルのそれぞれへの送風を個別に制御することで、熱の違いや、表示特性の違いを補償し、色バランスの崩れを抑制することができる。
実施の形態６.
以上の実施の形態１乃至実施の形態５は、図２乃至図７及び図１０,図１１に示すように、通風孔を有する直方体状の風制御部材を用いて、冷却ファンから送風される風を制御しているが、以下に説明する実施の形態では、風制御部材の代わりに、風導板が用いられる。
【００５１】
まず、図１２及び図１３を参照して実施の形態６を説明する。図１２は、実施の形態６の風導板１１Aを冷却ファン６と共に示す斜視図、図１３は、図１２の風導板１１A及び冷却ファン６の平面図である。これらの図で、矢印６dは冷却ファン６の回転方向を示す。
【００５２】
この風導板１１Aは、冷却ファン６の回転円６cの一つの接線６tに直交する面４１、即ち冷却ファン６の径方向に延びた１本の線６rと冷却ファン６の回転軸線６zとを含む平面内に位置する面４１を有する。また、この面４１は、ファンの軸線６zを中心として冷却ファン６の一方の側にのみ位置し、冷却ファン６の羽６aから、回転円６cの接線６tの方向に押し出される風を上記面４１で受けるようになっている。
【００５３】
図１２及び図１３において、冷却ファン６は良く使われているもので、モータ６mを中心としてその周りに一定方向にねじれた羽６aが何枚か付いている。冷却ファン６の回転軸線６zの方向をz軸方向、z軸に直交しかつ互いに直交する方向をx軸方向及びy軸方向とする。このファンが６d方向に回転している時、軸線６zの方向に送風するものとする。巨視的に見れば、冷却風は、軸線６zの方向に送風されている。しかしながら、ねじれた羽６aを回転させて空気を押し出しているので、例えば点pの周りの小さな範囲で見ると、冷却風はc方向のように斜めに送り出される。図１２のように風導板１１Aを設けると、冷却風は風導板１１Aにぶつかり方向を変える為、c’方向のように軸線６zの方向に近い斜めの方向に送風される。また、風導板１１Aにぶつかるのは点pからの風のみではなく、冷却ファン６の回転方向に対して、点pの手前の点qから出た風までが風導板１１Aにぶつかる為、c’方向にある冷却対象物(液晶パネルや偏光選択素子）への冷却風量を増やす事ができる。風導板１１Aの高さを高くすればするほど、風導板１１Aにぶつかる風が増える為、c’方向にある冷却対象物への冷却風量を増やす事ができる。以上のように、風導板１１Aによって冷却風の風量を制御できる。
【００５４】
なお、風導板としてその全体が図１２及び図１３に示すように構成されたものではなくて、他の構成のものを用いても良い。例えば、図１２及び図１３に示すようにファンの回転円の一つの接線に直交する部分のみならず、他の部分をも有するものを用いても良い。
実施の形態７.
次に図１４乃至図１６を参照して実施の形態７を説明する。図１４は、その下部に、液晶パネル３及び風導板１１Bを斜視図で示し、上部に、液晶パネル上の水平方向の冷却風の風量分布がグラフ１２により示している。図１５及び図１６は、風導板を、液晶パネル３及び冷却ファン６と共に示す概略立面図である。
【００５５】
この実施の形態の風導板１１Bは、液晶パネル３の入光側に設置されている。この実施の形態は、液晶パネル３や偏光選択素子２, ４の面内の最も強く冷却すべき個所に最も多くの風を送るようにするため、風導板１１Bの位置を変えるものである。
【００５６】
即ち、冷却ファンの回転円６cの接線６tに直交する面４３を持つ風導板１１Bを接線６tの方向に矢印mで示すようにずらすことにより、水平方向の冷却風の風量分布１２を矢印nのように液晶パネル３の横方向に移動できる。これを利用することにより、液晶パネルの面内において発熱の度合いや、表示の明るさなどが一様でない場合に、その特性に応じて最も強く冷却する個所を変えることができ、効率的な冷却を行なうことができ、また明るさのむらを減らすことができる。
【００５７】
先にも述べたように、液晶パネル３や偏光選択素子２,４は発熱の度合いや、表示の明るさが全面で一様でなく、ところによって異なる場合がある。液晶パネル３の場合、一般には中央部が最も強い光を受け、また放熱性が悪いので、中央部を最も強く冷却する必要がある。
【００５８】
このように、液晶パネル３のうち中心部を最も強く冷却すべきであるとしても、ファンの回転円の接線に直交する面を有する風導板１１Bを中央に置いたのでは、図１５に矢印６eで示す方向に回転する冷却ファン６の羽６aから押し出される風の角度などによっては、液晶パネル３の中央部に向かう風が最も多くならず、図１５に示すように風（の最も強い部分）が液晶パネルの中心３kからずれてしまい、表示される映像が左右非対称の明るさのむらを有することがある。この場合、図１６に示すように、風導板１１Bをずらすことで風（の最も強い部分）が液晶パネルの中心を通るようにする。これにより、最も強く冷却を要する部分に最も多くの風を送ることができ、映像の明るさのむらをなくすことができる。
【００５９】
なお、中心部以外の部分を最も強く冷却すべき場合にも同じように風導板をずらすことで風の分布を最適化することができる。
【００６０】
最も強く冷却すべき部分は、投写型表示装置の全体的構成及びこれに用いる液晶パネルの型式によって決まることが多い。この場合、投写型表示装置の全体的構成及び使用する液晶パネルが決まった段階で、各部の発熱の度合い、表示の明るさなどを考慮して、最適な風の分布を決める。
実施の形態８.
次に図１７、図１８及び図１９を参照して実施の形態８を説明する。図１７は風導板１１Cの概略立面図、図１８は斜視図、図１９は図１７の風導板１１Cを冷却ファン６及び液晶パネル３と共に示す概略立面図である。この実施の形態の風導板１１Cは、ファンの回転円６cの一つの接線６tに直交する面１３に対し傾いている。即ち、冷却ファン６に近い側の部分が(冷却ファン６の回転方向に関して）手前にずれ、冷却ファン６から遠い側の部分即ち液晶パネル３に近い側の部分が後にずれている。言い換えると、風導板１１Cは、xz面において回転して傾けた状態で設置されている。このように傾けることで、風の向きを変えることができる。
【００６１】
例えば、風の最も強い部分を液晶パネル３の中心３kに向ける場合、図１５で説明したように、風導板の位置をずらす代わりに、図１６、図１８及び図１９に示すように、風導板の傾きを変えることで、風の最も強い部分を液晶パネルの中心３kに向けることができる。
【００６２】
なお、図１７、図１８及び１９で説明した方法と図１６で説明した方法を組み合わせて用いても良い。
実施の形態９.
次に図２０を参照して実施の形態９を説明する。図２０は、実施の形態９の風導板１１Dを、液晶パネル３及び冷却ファン６と共に示す立面図である。
【００６３】
この実施の形態の風導板１１Dは、ファンの回転円の接線に沿って、回転方向に対して後退した位置にあり、接線に直交する主面４５と、上記主面４５の上部（液晶パネル側の部分）に接続され、ファンから押し出される風に向かって湾曲した部分４６とを有する。言い換えると、風導板１１Dの液晶パネル３側の端がファンから押し出される風に向かって湾曲している。このように湾曲した部分を設けることで、風の最も強い部分の向きを調整することができる。また、このような形状とすることにより、平板形状より風導板１１Dに衝突する冷却風が増えるので、風に対する制御を一層強めることができる。
【００６４】
なお、風導板１１Dの全体においてではなく、一部において、冷却ファン６側の端を湾曲させることとしても良い。
実施の形態１０.
次に図２１及び図２２を参照して実施の形態１０を説明する。図２１は、本実施の形態の風導板１１Eを冷却ファン６と共に示す平面図、図２２は斜視図である。この実施の形態の風導板１１Eは、ファンの回転円６cの一つの接線６tに直交する面１３に対し傾いている。即ち、ファンの径方向内側の部分即ちファンの軸線６zに近い側の部分が(ファンの回転方向に関して）手前にずれ、径方向外側の部分が後にずれている。言い換えると、風導板１１Eは、xy面において回転させて傾けた状態で設置されている。このように傾けることで、風の向きを変えることができる。
実施の形態１１.
次に図２３及び図２４を参照して実施の形態１１を説明する。図２３は本実施の形態の風導板１１Fを液晶パネル３と共に示す斜視図、図２４は平面図である。この実施の形態の風導板１１Fは、液晶パネル３の入光側３iに位置する部分４７と、出光側３oに位置する部分４８とを有する。これらの部分４７. ４８は共に、ファンの回転円６cの一つの接線６tに直交する面４９、即ちファンの径方向に延びた１本の線６rと軸線６zとを含む平面内に位置する面４９を有する。また、この面４９は、ファンの軸線６zを中心としてファンの一方の側にのみ位置し、ファンから回転円６cの接線６tの方向に押し出される風を上記面４９で受けるようになっている。
【００６５】
また、入光側に位置する部分４７は、出光側に位置する部分４８よりも高く（軸線６z方向の寸法が大で）、より多くの風を液晶パネル３の入光側３iの面に送ることができるようになっている。これにより液晶パネル３の入光側３iの面をより強く冷却することができる。
【００６６】
一般に液晶パネル３は、光源からの照明光ILが入射する側、即ち入光側３i側が温度が高くなり勝ちである。これは入光側３iにおいて照明光が吸収されて熱となるからである。この場合、入光側３iにより多くの風を送り、より強く冷却することにより入光側３iと出光側３oとの温度差を小さくすることができ、これにより冷却を効率的に行なうことができる。
実施の形態１２.
次に図２５を参照して実施の形態１２を説明する。図２５は、この実施の形態で用いられる風導板を示す斜視図である。図示のようにこの実施の形態の風導板１１Gは、液晶パネルの入光側３iの下部に位置し、液晶パネル３の面に略平行な部分５１ と、この部分５１に接続され、液晶パネル３の入光側３iの面に向けて傾斜して延びた部分５２とを有する。このように、風導板１１Gは、その上端即ち液晶パネル３側の端部が、液晶パネル３の面に向けて折り曲げられている。このように折り曲げられているので、液晶パネル３の面に向かう風が多くなり、そのため、液晶パネル３をより効率的に冷却することができ、また、液晶パネル３の面内で冷却効果の差がより少なくなる。さらに入光側３iをより強く冷却することができ、図２３の実施の形態と同様の効果が得られる。
【００６７】
なお、折り曲げる代わりに湾曲させても良い。
実施の形態１３.
次に図２６及び図２７を参照して実施の形態１３を説明する。この実施の形態の投写型表示装置の全体的構成は、図８に示す投写型表示装置と同様である。図２６は本実施の形態の風導板１４gをプリズム１０、液晶パネル３及び冷却ファン６と共に示す平面図、図２７は図２６のS２７-S２７線に沿う概略断面図である。これらの図には、図８のうち、プリズム１０と、一つの液晶パネル３g及びこれに対応して設けられた一つの風導板１４gが示されている。
【００６８】
図示のように、この実施の形態の風導板１４gは、プリズム１０の緑の光の入光側即ち液晶パネル３gの出光側３o、及び液晶パネル３gの入光側３iの下部に設けられ、冷却ファンの回転円の接線の方向に対し直交する面を有する第１の部分５３gと、液晶パネル３gの入光側３iの下部に設けられ、液晶パネル３gの面に略平行に延びた第２の部分５４gとを有し、第２の部分５４gにより、風が液晶パネル３gの面に沿って流れるようにしている。第２の部分５４gは、第１の部分の径方向外側の端部５５gに接続され、冷却ファンの回転方向の手前の方向に向かって延びている。
【００６９】
他の色の液晶パネル３r, ３bに対しても同様の位置関係で同様の風導板が設けられているが、これらは図示されていない。
【００７０】
図２６において、矢印６dは冷却ファン６の回転方向、矢印６wは冷却風の流れを示す。冷却風は風導板１４gに衝突し、上へと押し出される。風導板１４gの一部５４gが液晶パネル３gの入光側で、液晶パネル３gに略平行に延びた形状をしているので、冷却風は液晶パネル３の面に沿って流れ、この為、液晶パネル３を効率良くかつより均一に冷却出来る。その結果、液晶パネル３の面内で冷却効果の差が少なくなり、左右非対称な明るさむらや色むらが少ない投写型表示装置を得ることができる。
【００７１】
このように、プリズムの最も強く冷却する必要のある場所に対して風が最も多くなるように制御すると共に、液晶パネルの面に対して平行な方向に風を供給することができ、効率的に冷却を行なうことができる。
実施の形態１４.
次に図２８を参照して実施の形態１４を説明する。図２８は、実施の形態１４で用いられる風導板１５gを、液晶パネル３g及び冷却ファン６と共に示す、図２７と同様の垂直断面図である。この実施の形態の投写型表示装置の全体的構成は実施の形態１３と同様である。また、風導板１５gも実施の形態１４の風導板１４gと概して同じである。但し、第２の部分５６gの液晶パネル側の端部が液晶パネルの面に向けて湾曲している。この結果、矢印５７gで示すように冷却風をより強く液晶パネル３gの面に向ける事が出来る。そのため、液晶パネル３gをより効率的に冷却することができ、また、液晶パネル３gの面内で冷却効果の差がより少なくなり、左右非対称な明るさむらや色むらが少ない投写型表示装置を得ることができる。
【００７２】
なお、湾曲させる代わりに折り曲げた構成としても良い。
変形例
なお、液晶パネルを複数枚使用し、複数の液晶パネル３r, ３g, ３bの間で冷却の強さが異なるように制御をする場合は、制御するそれそれの液晶パネル３r,３g, ３bに対応する風導板の形状・位置を変える事で、各液晶パネルへの冷却風の風量や風向を調整することとしても良い。こうすれば、色バランスの崩れを抑制することができる。
【００７３】
また、上記の各実施の形態では、冷却ファンが液晶パネルなどの下部にのみ設けられているが、上部に設けも良く、また上部と下部の両方に設けても良い。
【００７４】
【発明の効果】
この発明は、以上説明したように構成されているので、以下に示すような効果を奏する。
【００７５】
本発明によれば、液晶パネルなどの冷却対象物の温度のばらつきに起因する、映像の部分的な明るさや色のむらなどが少ない投写型表示装置を得ることができる。さらに、冷却対象物に効率よく送風することができるため、冷却ファンの回転速度を上げたり、サイズを大きくしたりする必要がなく、装置の消費電力の増大や、装置の大型化を避けることができる。
【００７７】
また、風導板により冷却ファンから送られる風を制御することができ、簡単な構造で、効率的にかつ温度差が生じないように冷却を行うことができる。
【００８６】
さらに、プリズムの最も強く冷却する必要のある場所に対して風が最も多くなるように制御すると共に、液晶パネルの面に対して平行な方向に風を供給することができ、効率的に冷却を行なうことができる。
【００８７】
また、請求項２の発明によれば、液晶パネルの面に向かう風を増やすことができるので、冷却効率を上げることができる。
【図面の簡単な説明】
【図１】  本発明の実施の形態１による投写型表示装置の基本構成を示す概略立面図である。
【図２】  図１の風制御部材７Aの斜視図である。
【図３】  実施の形態２で用いられる風制御部材７Bを示す立面図である。
【図４】  実施の形態３で用いられる風制御部材７Cの斜視図である。
【図５】  図４の風制御部材７Cを、液晶パネル３及び偏光選択素子２及び４、及び冷却ファン６と共に示す概略立面図である。
【図６】  実施の形態４で用いられる風制御部材７Dの斜視図である。
【図７】  図６の風制御部材７Dを、液晶パネル３及び冷却ファン６と共に示す平面図である。
【図８】  実施の形態５の投写型表示装置の全体的構成を示す概略平面図である。
【図９】  図８のS９-S９線に沿う概略断面図である。
【図１０】  実施の形態５で用いられる風制御部材７Eの斜視図である。
【図１１】  図１０の風制御部材７Eを液晶パネル３g, ３r, ３bと共に示す平面図である。
【図１２】  実施の形態６の風導板１１Aを冷却ファン６と共に示す斜視図である。
【図１３】  図１２の風導板１１A及び冷却ファン６の平面図である。
【図１４】  下部に、液晶パネル３及び実施の形態７の風導板１１Bを斜視図で示し、上部に、液晶パネル上の水平方向の冷却風の風量分布がグラフ１２により示す図である。
【図１５】  実施の形態７の風導板１１Bを、液晶パネル３及び冷却ファン６と共に示す概略立面図である。
【図１６】  実施の形態７の風導板１１Bを、液晶パネル３及び冷却ファン６と共に示す概略立面図である。
【図１７】  実施の形態８の風導板１１Cの概略立面図である。
【図１８】  実施の形態８の風導板１１Cの斜視図である。
【図１９】  実施の形態８の風導板１１Cを液晶パネル３及び冷却ファン６と共に示す概略立面図である。
【図２０】  実施の形態９の風導板１１Dを、液晶パネル３及び冷却ファン６と共に示す立面図である。
【図２１】  実施の形態１０の風導板１１Eを冷却ファン６と共に示す平面図である。
【図２２】  実施の形態１０の風導板１１Eを冷却ファン６と共に示すは斜視図である。
【図２３】  実施の形態１１の風導板１１Fを液晶パネル３と共に示す斜視図である。
【図２４】  実施の形態１１の風導板１１Fを液晶パネル３と共に示す平面図である。
【図２５】  実施の形態１２で用いられる風導板を示す斜視図である。
【図２６】  実施の形態１３の風導板１４gをプリズム１０、液晶パネル３及び冷却ファン６と共に示す平面図である。
【図２７】  図２６のS２７-S２７線に沿う概略断面図である。
【図２８】  実施の形態１４で用いられる風導板１５gを、液晶パネル３g及び冷却ファン６と共に示す、図２７と同様の垂直断面図である。
【図２９】  液晶パネルを用いた従来の投写型表示装置の基本構成を示す立面図である。
【符号の説明】
１  光源、  ２  第１の偏光選択素子、  ３  液晶パネル、  ４  第２の偏光選択素子、  ６  冷却ファン、  ６c  回転円、  ６t  接線、  ７A, ７B, ７C, ７D, ７E  風制御部材、  １０  プリズム、  １１A, １１B, １１C, １１D,１１E, １１G, １４g, １５g  風導板、  ２１, ２２, ２４, ２５, ２６, ２７, ２８, ２９, ３０, ３１  通風孔。
【図１】
0004251696.tif 000002
【図２】
0004251696.tif 000003
【図３】
0004251696.tif 000004
【図４】
0004251696.tif 000005
【図５】
0004251696.tif 000006
【図６】
0004251696.tif 000007
【図７】
0004251696.tif 000008
【図８】
0004251696.tif 000009
【図９】
0004251696.tif 000010
【図１０】
0004251696.tif 000011
【図１１】
0004251696.tif 000012
【図１２】
0004251696.tif 000013
【図１３】
0004251696.tif 000014
【図１４】
0004251696.tif 000015
【図１５】
0004251696.tif 000016
【図１６】
0004251696.tif 000017
【図１７】
0004251696.tif 000018
【図１８】
0004251696.tif 000019
【図１９】
0004251696.tif 000020
【図２０】
0004251696.tif 000021
【図２１】
0004251696.tif 000022
【図２２】
0004251696.tif 000023
【図２３】
0004251696.tif 000024
【図２４】
0004251696.tif 000025
【図２５】
0004251696.tif 000026
【図２６】
0004251696.tif 000027
【図２７】
0004251696.tif 000028
【図２８】
0004251696.tif 000029
【図２９】
0004251696.tif 000030